(57)【要約】【課題】移動局が基地局から通知される送信電力の制御内容を誤検出したことを検知して、該誤検出された制御内容を補正することで、送信電力の過剰な上げ制御又は過剰な下げ制御を抑えること。【解決手段】移動局１が、基地局２から通知されるＲｒｅｌａｔｉｖｅ  Ｇｒａｎｔが示す送信電力の制御内容（アップ指示、ダウン指示、又はホールド指示）を誤検出したことを検知し、該検知結果に基づいて、該Ｒｅｌａｔｉｖｅ  Ｇｒａｎｔが示す送信電力の制御内容を読み替え補正する。そして、移動局１が、該読み替え補正処理後のＲｅｌａｔｉｖｅ  Ｇｒａｎｔが示す送信電力の制御内容と、基地局２から通知されるＡｂｓｏｌｕｔｅ  Ｇｒａｎｔが示す最大送信電力の値とに基づいて、送信電力を決定する。【選択図】図１
2009049750.tif 000002
【特許請求の範囲】
【請求項１】
基地局と移動局とを備える通信システムにおける、上記移動局の送信電力を制御する方法であって、
上記基地局から上記移動局への下りデータの品質が劣化したかを判断し、
上記下りデータの品質が劣化したと判断された場合に、上記基地局から上記移動局に対して通知される、送信電力のアップ指示の頻度と所定の閾値とを比較するとともに、該基地局から該移動局に対して通知される、送信電力のダウン指示の頻度と所定の閾値とを比較し、上記送信電力のアップ指示の頻度が所定の閾値以上であるときに、送信電力のアップ指示をダウン指示もしくはホールド指示と読み替え補正し、上記送信電力のダウン指示の頻度が所定の閾値以上であるときに、送信電力のダウン指示もしくはホールド指示をアップ指示と読み替え補正する
ことを特徴とする送信電力制御方法。
【請求項２】
基地局との間で通信する移動局であって、
上記基地局から上記移動局への下りデータの品質が劣化したかを判断する手段と、
上記下りデータの品質が劣化したと判断された場合に、上記基地局から上記移動局に対して通知される、送信電力のアップ指示の頻度と所定の閾値とを比較するとともに、該基地局から該移動局に対して通知される、送信電力のダウン指示の頻度と所定の閾値とを比較し、上記送信電力のアップ指示の頻度が所定の閾値以上であるときに、送信電力のアップ指示をダウン指示もしくはホールド指示と読み替え補正し、上記送信電力のダウン指示の頻度が所定の閾値以上であるときに、送信電力のダウン指示もしくはホールド指示をアップ指示と読み替え補正する手段とを備える
ことを特徴とする移動局。
【請求項３】
基地局と移動局とを備える通信システムにおける、上記移動局の送信電力を制御するプログラムであって、
コンピュータに、
上記基地局から上記移動局への下りデータの品質が劣化したかを判断する処理と、
上記下りデータの品質が劣化したと判断された場合に、上記基地局から上記移動局に対して通知される、送信電力のアップ指示の頻度と所定の閾値とを比較するとともに、該基地局から該移動局に対して通知される、送信電力のダウン指示の頻度と所定の閾値とを比較し、上記送信電力のアップ指示の頻度が所定の閾値以上であるときに、送信電力のアップ指示をダウン指示もしくはホールド指示と読み替え補正し、上記送信電力のダウン指示の頻度が所定の閾値以上であるときに、送信電力のダウン指示もしくはホールド指示をアップ指示と読み替え補正する処理とを実行させる
ことを特徴とする送信電力制御プログラム。
【発明の詳細な説明】
【技術分野】
【０００１】
本発明は、送信電力制御方法、移動局、及び送信電力制御プログラムに関し、特に、移動局が基地局から通知される送信電力の制御内容を誤検出したことを検知して、該誤検出された制御内容を読み替え補正することで、送信電力の過剰な上げ制御又は過剰な下げ制御を抑える送信電力制御方法、移動局、及び送信電力制御プログラムに関する。
【背景技術】
【０００２】
既存のＷ−ＣＤＭＡ技術（３ＧＰＰリリース９９で標準化）を基盤とした技術に、ＨＳＤＰＡ（High Speed Downlink Packet Access ：高速ダウンリンクパケットアクセス）及びＨＳＵＰＡ（High Speed Uplink Packet Access ：高速アップリンクパケットアクセス）技術がある。ＨＳＤＰＡは３ＧＰＰリリース５で、ＨＳＵＰＡは３ＧＰＰリリース６で標準化が進められている。
【０００３】
図８は、基地局と移動局との間で通信を行う移動体通信システムにおける物理チャネルの例を示す図である。
図８中には、ＨＳＤＰＡ、ＨＳＵＰＡ、既存チャネルであるＲ９９ＣＨのそれぞれについて、下り（基地局→移動局方向）と上り（移動局→基地局方向）の物理チャネル（ＣＨ）が示される。例えば、Ｒ９９ＣＨの下りの物理ＣＨのうち、ＤＰＣＣＨ（Dedicated Physical Control Channel：個別物理制御チャネル）は、ＰｉｌｏｔビットなどのＲ９９ＣＨ制御情報を通信するチャネルであり、ＤＰＤＣＨ（Dedicated Physical Data Channel ：個別物理データチャネル）は、Ｒ９９ＣＨユーザデータを通信するチャネルであり、ＣＰＩＣＨ（Common Piloit Indication Channel：共通パイロットチャネル）は、ＳＩＲ（Signal to interference Ratio）測定を行う制御ＣＨである。なお、上記ＤＰＣＣＨとＤＰＤＣＨとが、ＤＰＣＨ（Dedicated Physical Channel：個別物理チャネル）を構成する。また、Ｒ９９ＣＨの上りの物理ＣＨのうち、ＤＰＣＣＨは、Ｒ９９ＣＨ制御情報を通信するチャネルであり、ＤＰＤＣＨは、Ｒ９９ＣＨユーザデータを通信するチャネルである。
【０００４】
ＨＳＤＰＡの下りの物理ＣＨのうち、ＨＳ−ＳＣＣＨ（High Speed Shared Control Channel ：高速共有制御チャネル）は、後述するＨＳ−ＰＤＳＣＨ( High Speed Physical Downlink Shared Channel ：高速物理ダウンリンク共有チャネル）による通信（受信）のための制御情報を通信するチャネルであり、ＨＳ−ＰＤＳＣＨは、ＨＳＤＰＡユーザデータを通信するチャネルである。また、ＨＳＤＰＡの上りの物理ＣＨであるＨＳ−ＤＰＣＣＨ（High Speed Dedicated Physical Control Channel ：高速個別物理制御チャネルは、ＣＱＩ（Channel Quality Indicator ：下り品質識別子）、ＡＣＫ／ＮＡＣＫなどの制御情報を通信するチャネルである。なお、ＣＱＩの値は下りデータの品質の指標となる値である。
また、ＨＳＵＰＡの下りの物理ＣＨのうち、Ｅ−ＡＧＣＨ（Enhanced Absolute Grant Channel ：エンハンスト絶対グラントチャネル）は、移動局に送信許可される最大電力を通知するためのチャネルである。例えば、Ｅ−ＡＧＣＨによって、上りＤＰＣＣＨとの電力比率が移動局に通知される。Ｅ−ＲＧＣＨ（Enhanced Relative Grant Channel ：エンハンスト相対グラントチャネル）は、移動局に送信許可される電力を所定の幅で上下させる制御情報を通信するチャネルである。例えば、Ｅ−ＲＧＣＨによって、ＵＰ／ＤＯＷＮ／ＨＯＬＤが移動局に通知される。ＵＰは、移動局に送信電力の値を上げさせる（アップさせる）ための指示（アップ指示）であり、ＤＯＷＮは、移動局に送信電力の値を下げさせる（ダウンさせる）ための指示（ダウン指示）であり、ＨＯＬＤは、移動局に送信電力の値を保持させる（ホールドさせる）ための指示（ホールド指示）である。
【０００５】
Ｅ−ＨＩＣＨ(Enhanced Hybrid ARQ Indicator Channel：エンハンストハイブリッドＡＲＱインジケータチャネル）は、後述するＥ−ＤＰＤＣＨ( Enhanced Dedicated Physical Data Channel :エンハンスト個別物理データチャネル）が基地局で正しく受信されたかを移動局に通知するためのチャネルである。例えば、Ｅ−ＤＰＤＣＨが基地局で受信できた場合には、Ｅ−ＨＩＣＨにて、基地局から移動局に対してＡＣＫが送信され、Ｅ−ＤＰＤＣＨが基地局で受信できなかった場合は、Ｅ−ＨＩＣＨにて、基地局から移動局に対してＮＡＣＫが送信される。
また、ＨＳＵＰＡの上りの物理ＣＨのうち、Ｅ−ＤＰＣＣＨ( Enhanced Dedicated Physical Control Channel : エンハンスト個別物理制御チャネル）は、ＨＳＵＰＡ制御情報を通信するチャネルであり、Ｅ−ＤＰＤＣＨは、ＨＳＵＰＡユーザデータを通信するチャネルである。
【０００６】
図９は、基地局と移動局との間における、ＨＳＵＰＡを用いた通信シーケンスの例を示す図である。
図９では、１つの移動局が示されているが、基地局は例えば複数の移動局と通信する。まず、移動局がＥ−ＤＰＤＣＨでデータを送信したい場合、移動局は基地局に対して、Ｅ−ＤＰＤＣＨにて、移動局が送信したいデータのデータ量、送信データの優先情報を含む情報であるＳＩ（Scheduling Information）を通知して、基地局に対して無線リソースの割り当てを要求する（図９の＃１）。
【０００７】
基地局は、複数の移動局からのＳＩを集計し、事前に監視していた各移動局の通信品質、送信データの優先情報に基づいて、移動局からの送信データ制御のスケジューリングを行なう。その結果、基地局は、各移動局に対して、送信許可（ＧＲＡＮＴ）情報を通知する。ＧＲＡＮＴ情報には、Ａｂｓｏｌｕｔｅ  ＧｒａｎｔとＲｅｌａｔｉｖｅ  Ｇｒａｎｔの２種類がある。Ａｂｓｏｌｕｔｅ  Ｇｒａｎｔは、移動局が送信することを許される最大送信電力を通知する制御情報である。Ａｂｓｏｌｕｔｅ  Ｇｒａｎｔは、Ｅ−ＡＧＣＨにマッピングされて、ＡＧ情報（最大送信電力情報）として移動局に通知される（図９の＃２）。Ｒｅｌａｔｉｖｅ  Ｇｒａｎｔは、Ａｂｓｏｌｕｔｅ  Ｇｒａｎｔによって移動局に通知された送信電力の値を、所定の幅だけ上げる（アップする）か、下げる（ダウンする）か、保持する（ホールドする）かを移動局に指示する制御情報である。Ｒｅｌａｔｉｖｅ  Ｇｒａｎｔは、Ｅ−ＲＧＣＨにマッピングされて、ＲＧ情報（送信電力のアップ、ダウン、又はホールドを指示する情報）として移動局に通知される（図９の＃３）。Ｒｅｌａｔｉｖｅ  Ｇｒａｎｔは、送信電力のアップを指示するアップ指示、送信電力のダウンを指示するダウン指示、送信電力のホールドを指示するホールド指示のそれぞれに対応する値をとる。
【０００８】
基地局からＧＲＡＮＴ情報の通知を受けた移動局は、Ａｂｓｏｌｕｔｅ  Ｇｒａｎｔが示す最大送信電力を、Ｒｅｌａｔｉｖｅ  Ｇｒａｎｔの値に応じた指示内容に従って、アップするか、ダウンするか、又はホールドすることで、送信電力を決定する（図９の＃４）。そして、移動局は、Ｅ−ＤＰＤＣＨにて、基地局に対して送信したいユーザデータを送信するとともに（図９の＃５）、Ｅ−ＤＰＣＣＨに上りデータに関する制御情報（Ｅ−ＴＦＣＩ，ＲＳＮ，Ｈａｐｐｙ  ｂｉｔ）をマッピングし、該Ｅ−ＤＰＣＣＨにて該制御情報を基地局に対して通知する（図９の＃６）。
上記Ｅ−ＴＦＣＩはレート情報等の制御情報であり、ＲＳＮはシーケンス番号である。Ｈａｐｐｙ  ｂｉｔは、移動局が更に上りリソースを使用可能か否かを示すビットである。Ｈａｐｐｙ  ｂｉｔの値に応じて決まるＵｎｈａｐｐｙ又はＨａｐｐｙという制御情報が基地局に対して通知される。Ｕｎｈａｐｐｙは、移動局が上りリソースを使用不可であり、基地局に対して、移動局の送信電力を上げるためのＲｅｌａｔｉｖｅ  Ｇｒａｎｔ（アップ指示）を要求する制御情報である。Ｈａｐｐｙは、移動局が上りリソースを使用可能であり、基地局に対して、移動局の送信電力を上げる必要がないことを通知するための制御情報である。
【０００９】
移動局は、以下の（１）〜（３）までの３条件が満たされる場合に、基地局に対してＵｎｈａｐｐｙを送信し、いずれかの条件が満たされない場合は、基地局に対してＨａｐｐｙを送信する。
（１）移動局が、Ａｂｓｏｌｕｔｅ  ＧｒａｎｔとＲｅｌａｔｉｖｅ  Ｇｒａｎｔで許可された送信電力の上限にて上りデータを送信している。
（２）移動局が送信可能な最大送信電力は、上記許可された送信電力よりも大きく、より高速でデータ送信できるパワーがまだある。
（３）移動局が、移動局のバッファに溜まっている送信データを予め指定された時間内に送りきることができない。
すなわち、移動局が送信可能な最大送信電力には至っていないが、基地局から許可されている送信電力の上限にて上りデータを送信している場合であって、移動局が上り送信データのスループットを上げたいときに、移動局は基地局に対してＵｎｈａｐｐｙを送信する。
【００１０】
図９の＃６の処理によって移動局からＨａｐｐｙ  ｂｉｔの送信を受けた基地局は、同一セル内の各移動局から送信されるＨａｐｐｙ  ｂｉｔと各移動局から送信されるＳＩとに基づいて、最終的に各移動局に対して指示するＲｅｌａｔｉｖｅ  Ｇｒａｎｔを決定して移動局に対して通知する。移動局が、基地局からアップ指示を示すＲｅｌａｔｉｖｅ  Ｇｒａｎｔの通知を受けると、該移動局は、より大きい電力でＥ−ＤＰＤＣＨ／Ｅ−ＤＰＣＣＨを送信可能になり、大量のユーザデータを送信することができるようになる。その結果、上りスループットが増加する。一方、移動局が、基地局からダウン指示を示すＲｅｌａｔｉｖｅ  Ｇｒａｎｔの通知を受けると、該移動局は、より小さな電力でＥ−ＤＰＤＣＨ／Ｅ−ＤＰＣＣＨを送信しなければならなくなり、上りスループットが減少する。
図９では図示を省略するが、移動局から基地局へのＥ−ＤＰＤＣＨが基地局で受信できなかった場合、基地局は、移動局に対してＮＡＣＫをＥ−ＨＩＣＨにマッピングして送信する。また、移動局から基地局へのＥ−ＤＰＤＣＨが基地局で受信できた場合、基地局は、移動局に対してＡＣＫをＥ−ＨＩＣＨにマッピングして送信する。移動局は、基地局からＡＣＫを受領した場合は、該当データの送信が達成されたことを認識して次データを基地局に対して送信し、基地局からＮＡＣＫを受領した場合は、該当データの送信が未達成であることを認識して、基地局に対して同一データを再送する。
【００１１】
なお、従来の移動体通信技術の例として、下記の特許文献１には、無線回線制御局が、移動局に対して、論理チャネルのサービス品質情報を通知し、移動局が上記論理チャネルの通信品質を測定し、該移動局が、上記通知されたサービス品質情報及び上記通信品質の測定結果に基づいて、該移動局が接続されているセルから送信された相対速度制御チャネルによる指示に従って上りユーザデータの伝送速度を制御するか否かを決定する伝送速度制御方法が記載されている。
【特許文献１】特開２００６−２２２９１０号公報
【発明の開示】
【発明が解決しようとする課題】
【００１２】
上記のように、移動局は、基地局からＧＲＡＮＴ情報の通知を受けて、Ａｂｓｏｌｕｔｅ  Ｇｒａｎｔが示す最大送信電力を、Ｒｅｌａｔｉｖｅ  Ｇｒａｎｔの値に応じた制御内容に従って、アップするか、ダウンするか、又はホールドすることで、送信電力を決定する。しかし、例えば、基地局と移動局との距離が離れた時等には、電波伝搬干渉などによって、基地局から移動局への下りデータの品質が劣化し、移動局が、基地局から通知されるＲｅｌａｔｉｖｅ  Ｇｒａｎｔが示す制御内容を誤検出するという問題がある。例えば、移動局がＲｅｌａｔｉｖｅ  Ｇｒａｎｔが示す制御内容を誤検出し、該Ｒｅｌａｔｉｖｅ  Ｇｒａｎｔが示す送信電力のアップ指示（又はホールド指示）を、送信電力のダウン指示であると認識すると、送信電力の過剰な下げ制御が生じ、該移動局が、本来送信できるデータ量より少ないデータ量しか送信できなくなる恐れがある。また、逆に、移動局が、Ｒｅｌａｔｉｖｅ  Ｇｒａｎｔが示す制御内容を誤検出し、該Ｒｅｌａｔｉｖｅ  Ｇｒａｎｔが示す送信電力のダウン指示（又はホールド指示）を、送信電力のアップ指示であると認識すると、送信電力の過剰な上げ制御が生じて移動局の送信電力が増大することで、電力干渉が増加する恐れがある。
【００１３】
本発明は上記問題点を解決するためになされたものであって、特に、移動局が基地局から通知される送信電力の制御内容（Ｒｅｌａｔｉｖｅ  Ｇｒａｎｔが示す制御内容）を誤検出したことを検知して、該誤検出された制御内容を補正することで、送信電力の過剰な上げ制御又は過剰な下げ制御を抑える送信電力制御方法、移動局、及び送信電力制御プログラムの提供を目的とする。
【課題を解決するための手段】
【００１４】
上記課題を解決するため、本発明においては、次のようにして前記課題を解決する。
（１）基地局と移動局とを備える通信システムにおける、上記移動局の送信電力を制御する方法を用いる。上記方法が、上記基地局から上記移動局への下りデータの品質が劣化したかを判断し、上記下りデータの品質が劣化したと判断された場合に、上記基地局から上記移動局に対して通知される、送信電力のアップ指示の頻度と所定の閾値とを比較するとともに、該基地局から該移動局に対して通知される、送信電力のダウン指示の頻度と所定の閾値とを比較し、上記送信電力のアップ指示の頻度が所定の閾値以上であるときに、送信電力のアップ指示をダウン指示もしくはホールド指示と読み替え補正し、上記送信電力のダウン指示の頻度が所定の閾値以上であるときに、送信電力のダウン指示もしくはホールド指示をアップ指示と読み替え補正する。
（２）基地局との間で通信する移動局を設ける。上記移動局が、上記基地局から上記移動局への下りデータの品質が劣化したかを判断する手段と、上記下りデータの品質が劣化したと判断された場合に、上記基地局から上記移動局に対して通知される、送信電力のアップ指示の頻度と所定の閾値とを比較するとともに、該基地局から該移動局に対して通知される、送信電力のダウン指示の頻度と所定の閾値とを比較し、上記送信電力のアップ指示の頻度が所定の閾値以上であるときに、送信電力のアップ指示をダウン指示もしくはホールド指示と読み替え補正し、上記送信電力のダウン指示の頻度が所定の閾値以上であるときに、送信電力のダウン指示もしくはホールド指示をアップ指示と読み替え補正する手段とを備える。
（３）基地局と移動局とを備える通信システムにおける、上記移動局の送信電力を制御するプログラムを設ける。上記プログラムが、コンピュータに、上記基地局から上記移動局への下りデータの品質が劣化したかを判断する処理と、上記下りデータの品質が劣化したと判断された場合に、上記基地局から上記移動局に対して通知される、送信電力のアップ指示の頻度と所定の閾値とを比較するとともに、該基地局から該移動局に対して通知される、送信電力のダウン指示の頻度と所定の閾値とを比較し、上記送信電力のアップ指示の頻度が所定の閾値以上であるときに、送信電力のアップ指示をダウン指示もしくはホールド指示と読み替え補正し、上記送信電力のダウン指示の頻度が所定の閾値以上であるときに、送信電力のダウン指示もしくはホールド指示をアップ指示と読み替え補正する処理とを実行させる。
【発明の効果】
【００１５】
本発明によれば、以下の効果を奏することができる。
本発明は、基地局との間で通信する移動局が、下りデータの品質が劣化したかを判断し、該下りデータの品質が劣化したと判断された場合に、上記基地局から通知される送信電力のアップ指示の頻度と所定の閾値とを比較し、該送信電力のアップ指示の頻度が所定の閾値以上であるときに、送信電力のアップ指示をダウン指示もしくはホールド指示と読み替え補正する。従って、本発明によれば、移動局が基地局から通知される送信電力のアップ指示を誤検出することに起因する、送信電力の過剰な上げ制御を抑えることが可能となる。その結果、電力干渉の度合いを抑えることが可能となり、ネットワークリソースの有効活用を図ることができる。
【００１６】
また、本発明においては、上記移動局が、上記基地局から移動局に対して通知される送信電力のダウン指示の頻度と所定の閾値とを比較し、該送信電力のダウン指示の頻度が所定の閾値以上であるときに、送信電力のダウン指示もしくはホールド指示をアップ指示と読み替え補正する。従って、本発明によれば、移動局が基地局から通知される送信電力のダウン指示を誤検出することに起因する、送信電力の過剰な下げ制御を抑えることが可能となる。従って、移動局が、本来送信可能な送信電力（例えば、最大送信電力）で基地局に対して上りデータを送信することが可能となる。その結果、移動局から上りデータを基地局に送信する際のスループットの向上を図ることができる。
【発明を実施するための最良の形態】
【００１７】
図１は、本発明のシステム構成の一例を示す図である。
本発明の実施の形態における送信電力制御方法は、図１に示す基地局２と移動局１とを備える通信システムにおける、移動局１の送信電力を制御する方法として実現される。
各移動局１は、図８を参照して前述したＨＳＤＰＡ、ＨＳＵＰＡ、又はＲ９９ＣＨを用いて、基地局２との間で通信する。特に、各移動局１は、基地局２から通知されるＲｒｅｌａｔｉｖｅ  Ｇｒａｎｔが示す送信電力の制御内容を誤検出したことを検知し、該検知結果に基づいて、該Ｒｅｌａｔｉｖｅ  Ｇｒａｎｔが示す送信電力の制御内容を読み替え補正する。そして、各移動局１は、該読み替え補正処理後のＲｅｌａｔｉｖｅ  Ｇｒａｎｔが示す送信電力の制御内容と、基地局２から通知されるＡｂｓｏｌｕｔｅ  Ｇｒａｎｔが示す最大送信電力の値とに基づいて、送信電力を決定する。
【００１８】
具体的には、移動局１は、基地局２から移動局１への下りデータの品質が劣化したかを判断し、該下りデータの品質が劣化したと判断された場合に、基地局２から移動局１に対して通知される、送信電力のアップ指示の頻度と所定の閾値とを比較する。また、移動局１は、該基地局２から該移動局１に対して通知される、送信電力のダウン指示の頻度と所定の閾値とを比較する。移動局１は、上記送信電力のアップ指示の頻度が所定の閾値以上であるときに、該移動局１がＲｅｌａｔｉｖｅ  Ｇｒａｎｔが示す送信電力の制御内容を誤検出したことを検知して、該Ｒｅｌａｔｉｖｅ  Ｇｒａｎｔによる送信電力のアップ指示をダウン指示もしくはホールド指示と読み替え補正する。また、移動局１は、上記送信電力のダウン指示の頻度が所定の閾値以上であるときに、該移動局１がＲｅｌａｔｉｖｅ  Ｇｒａｎｔが示す送信電力の制御内容を誤検出したことを検知して、該Ｒｅｌａｔｉｖｅ  Ｇｒａｎｔによる送信電力のダウン指示もしくはホールド指示をアップ指示と読み替え補正する。そして、移動局１は、上記読み替え補正処理後のアップ指示、ダウン指示、又はホールド指示と上記Ａｂｓｏｌｕｔｅ  Ｇｒａｎｔが示す最大送信電力の値とに基づいて、送信電力を決定する。
【００１９】
図２は、移動局の構成の一例を示す図である。
移動局１は、アンテナ１１、受信部１２、ＵＰ／ＤＯＷＮ情報検出部１３、最大送信電力検出部１４、ＵＰ／ＤＯＷＮカウント部１５、下り品質検出部１６、誤検出検知部１７、ＵＰ／ＤＯＷＮ読み替え部１８、送信電力値決定部１９、Ｅ−ＤＰＤＣＨデータ生成部２０、Ｅ−ＤＰＣＣＨデータ生成部２１、送信部２２を備える。
受信部１２は、アンテナ１１を通じて、図１に示す基地局２から通信情報（ユーザデータ及び制御情報）を受信する。例えば、受信部１２は、Ｅ−ＲＧＣＨにて送信されたＲｅｌａｔｉｖｅ  ＧｒａｎｔとＥ−ＡＧＣＨにて送信されたＡｂｓｏｌｕｔｅ  Ｇｒａｎｔとを復調する。ＵＰ／ＤＯＷＮ情報検出部１３は、受信部１２によって復調されたＲｅｌａｔｉｖｅ  Ｇｒａｎｔが示す送信電力の制御内容を検出する。具体的には、ＵＰ／ＤＯＷＮ情報検出部１３は、該Ｒｅｌａｔｉｖｅ  Ｇｒａｎｔが、送信電力のアップ指示、ダウン指示、又はホールド指示のいずれを示すのかを検出する。最大送信電力検出部１４は、受信部１２によって復調されたＡｂｓｏｌｕｔｅ  Ｇｒａｎｔが示す最大送信電力の値を検出する。ＵＰ／ＤＯＷＮカウント部１５は、上記ＵＰ／ＤＯＷＮ情報検出部１３によって検出されたアップ指示、ダウン指示、ホールド指示をカウントし、該カウント結果を記憶する。例えば、上記ＵＰ／ＤＯＷＮ情報検出部１３によって、アップ指示、ダウン指示、ホールド指示、アップ指示、アップ指示、アップ指示、アップ指示が順次検出された場合、ＵＰ／ＤＯＷＮカウント部１５は、該検出された制御内容（アップ指示、ダウン指示、又はホールド指示）を、該制御内容が検出された順にカウントして記憶する。
【００２０】
下り品質検出部１６は、基地局２から移動局１への下りデータの品質の劣化を検出する。例えば、下り品質検出部１６は、図３及び図４を参照して後述するように、下りＤＰＣＨのＰｉｌｏｔビット誤り率が所定の閾値以上となったかを判断し、該Ｐｉｌｏｔビット誤り率が所定の閾値以上となったと判断された場合に、ＳＷエラーが多発していると認識して、下りデータの品質が劣化したことを検出する。上記Ｐｉｌｏｔビット誤り率は、下りＤＰＣＨの１フレームに含まれるＰｉｌｏｔビットパターンのうち期待値と異なるビット数を、該Ｐｉｌｏｔビットパターンの総ビット数で除算して算出される値である。
また、例えば、下り品質検出部１６は、後述するように、単位時間当たりの下りＤＰＤＣＨのＣＲＣ誤り率であるＢＬＥＲ（Block Error Rate：ブロックエラーレート）が所定の閾値以上となったかを判断し、該ＢＬＥＲが所定の閾値以上となったと判断された場合に、下りデータの品質が劣化したことを検出する。また、例えば、下り品質検出部１６は、図５を参照して後述するように、ＨＳＤＰＡ呼接続時に、移動局１の下りデータの品質の指標となるＣＱＩ値が所定の閾値未満であるかを判断し、該ＣＱＩ値が所定の閾値未満であると判断された場合に、下りデータの品質が劣化したことを検出する。すなわち、下り品質検出部１６は、基地局２から移動局１への下りデータの品質が劣化したかを判断する手段である。
【００２１】
誤検出検知部１７は、上記ＵＰ／ＤＯＷＮ情報検出部１３がＲｅｌａｔｉｖｅ  Ｇｒａｎｔが示す送信電力の制御内容を誤検出したことを検知し、該検知結果をＵＰ／ＤＯＷＮ読み替え部１８に対して出力する。具体的には、誤検出検知部１７は、上記ＵＰ／ＤＯＷＮカウント部１５による送信電力のアップ指示のカウント結果に基づいて、アップ指示が連続してカウントされた回数を求め、該アップ指示が連続してカウントされた回数と所定の閾値とを比較する。また、誤検出検知部１７は、ＵＰ／ＤＯＷＮカウント部１５による送信電力のダウン指示のカウント結果に基づいて、ダウン指示が連続してカウントされた回数を求め、該ダウン指示が連続してカウントされた回数と所定の閾値とを比較する。
誤検出検知部１７は、アップ指示が連続してカウントされた回数が所定の閾値以上であると判断した場合は、ＵＰ／ＤＯＷＮ情報検出部１３が、Ｒｅｌａｔｉｖｅ  Ｇｒａｎｔによって示される送信電力の制御内容を誤検出したことを検知する。すなわち、誤検出検知部１７は、ＵＰ／ＤＯＷＮ情報検出部１３がアップ指示以外の制御内容（ダウン指示又はホールド指示）をアップ指示であると誤って検出したことを検知する。例えば、上記ＵＰ／ＤＯＷＮカウント部１５によってカウントされた制御内容が、アップ指示、ダウン指示、ホールド指示、アップ指示、アップ指示、アップ指示、アップ指示であり、上記所定の閾値が４回である場合、アップ指示が該閾値（４回）以上連続してカウントされているので、誤検出判断部１７は、ＵＰ／ＤＯＷＮ情報検出部１３が、アップ指示以外の制御内容をアップ指示であると誤って検出したと判断する。
【００２２】
また、誤検出検知部１７は、ダウン指示が連続してカウントされた回数が所定の閾値以上であると判断した場合は、ＵＰ／ＤＯＷＮ情報検出部１３が、Ｒｅｌａｔｉｖｅ  Ｇｒａｎｔによって示される送信電力の制御内容を誤検出したことを検知する。すなわち、誤検出検知部１７は、ＵＰ／ＤＯＷＮ情報検出部１３がダウン指示以外の制御内容（アップ指示又はホールド指示）をダウン指示であると誤って検出したことを検知する。
本発明の一実施形態によれば、誤検出検知部１７が、上記ＵＰ／ＤＯＷＮカウント部１５による送信電力のアップ指示の回数のカウント結果に基づいて、単位時間当たりのアップ指示の回数を求め、該求まった単位時間当たりのアップ指示の回数と所定の閾値とを比較し、該単位時間当たりのアップ指示の回数が所定の閾値以上である場合に、ＵＰ／ＤＯＷＮ情報検出部１３がアップ指示以外の制御内容をアップ指示であると誤って検出したことを検知するようにしてもよい。また、本発明の一実施形態によれば、誤検出検知部１７が、上記ＵＰ／ＤＯＷＮカウント部１５による送信電力のアップ指示の回数のカウント結果に基づいて、単位時間当たりのダウン指示の回数を求め、該求まった単位時間当たりのダウン指示の回数と所定の閾値とを比較し、該単位時間当たりのダウン指示の回数が所定の閾値以上である場合に、ＵＰ／ＤＯＷＮ情報検出部１３がダウン指示以外の制御内容をダウン指示であると誤って検出したことを検知するようにしてもよい。
【００２３】
ＵＰ／ＤＯＷＮ読み替え部１８は、上記誤検出検知部１７による誤検出の検知結果に基づいて、上記ＵＰ／ＤＯＷＮ情報検出部１３によって検出されたＲｅｌａｔｉｖｅ  Ｇｒａｎｔによって示される送信電力の制御内容を読み替え補正する。具体的には、上記誤検出検知部１７が、ＵＰ／ＤＯＷＮ情報検出部１３がアップ指示以外の制御内容をアップ指示であると誤って検出したことを検知した場合、ＵＰ／ＤＯＷＮ読み替え部１８は、アップ指示をダウン指示又はホールド指示と読み替える。また、上記誤検出検知部１７が、ＵＰ／ＤＯＷＮ情報検出部１３がダウン指示以外の制御内容をダウン指示であると誤って検出したことを検知した場合、ＵＰ／ＤＯＷＮ読み替え部１８は、ダウン指示又はホールド指示をアップ指示と読み替える。
【００２４】
本発明の一実施形態によれば、誤検出検知部１７が、アップ指示以外の制御内容がアップ指示であると誤って検出されたことを検知した場合に、ＵＰ／ＤＯＷＮ読み替え部１８が、既にカウントされた任意の回数分（例えば、連続してカウントされた回数分）のアップ指示をダウン指示又はホールド指示と読み替えるようにしてもよい。例えば、ＵＰ／ＤＯＷＮカウント部１５によって、アップ指示、ダウン指示、ホールド指示がカウントされた後、閾値（例えば４回）以上連続してアップ指示がカウントされると、誤検出判断部１７は、ＵＰ／ＤＯＷＮ情報検出部１３が、アップ指示以外の制御内容をアップ指示であると誤って検出したと判断する。該検出結果を受けたＵＰ／ＤＯＷＮ読み替え部１８は、例えば、連続してカウントされた回数である４回分のアップ指示をダウン指示又はホールド指示と読み替える。また、誤検出検知部１７が、ダウン指示以外の制御内容がダウン指示であると誤って検出されたことを検知した場合に、ＵＰ／ＤＯＷＮ読み替え部１８が、既にカウントされた任意の回数分（例えば、連続してカウントされた回数分）のダウン指示をアップ指示と読み替えるようにしてもよい。
【００２５】
また、本発明の一実施形態によれば、誤検出検知部１７が、アップ指示以外の制御内容がアップ指示であると誤って検出されたことを検知した場合に、ＵＰ／ＤＯＷＮ読み替え部１８が、該検知後にカウントされた所定の回数分のアップ指示をダウン指示又はホールド指示と読み替えるようにしてもよい。また、誤検出検知部１７が、ダウン指示以外の制御内容がダウン指示であると誤って検出されたことを検知した場合に、ＵＰ／ＤＯＷＮ読み替え部１８が、該検知後にカウントされた所定の回数分のダウン指示をアップ指示と読み替えるようにしてもよい。
【００２６】
送信電力値決定部１９は、ＵＰ／ＤＯＷＮ読み替え部１８による上記読み替え補正処理後の、Ｒｅｌａｔｉｖｅ  Ｇｒａｎｔによって示される送信電力の制御内容（アップ指示、ダウン指示又はホールド指示）と、上記最大送信電力検出部１４によって検出されたＡｂｓｏｌｕｔｅ  Ｇｒａｎｔが示す最大送信電力の値とに基づいて、送信電力の値を決定する。
Ｅ−ＤＰＤＣＨデータ生成部２０は、Ｅ−ＤＰＤＣＨにて基地局２に対して送信するデータ（ＨＳＵＰＡユーザデータ）を生成する。Ｅ−ＤＰＣＣＨデータ生成部２１は、Ｅ−ＤＰＣＣＨにて基地局２に対して送信するデータ（ＨＳＵＰＡ制御情報）を生成する。送信部２２は、上記送信電力値決定部１９によって決定された送信電力の値にて、アンテナ１１を通じて、上記ＨＳＵＰＡユーザデータとＨＳＵＰＡ制御情報とを基地局２に対して送信する。
【００２７】
図３は、下りＤＰＣＨのデータ構成例を示す図である。また、図４は、図３に示す下りＤＰＣＨの各スロット毎のＰｉｌｏｔビットパターンの定義を示す図である。
図３及び図４を参照して、図２に示す下り品質検出部１６による下りデータの品質の劣化の検出の例を説明する。図３（Ｂ）に示すように、下りＤＰＣＨは、例えば、タイムフレーム（Ｔf ＝１０ｍｓとして、Ｓｌｏｔ＃０〜Ｓｌｏｔ＃１４までのスロットを有す  る。図３（Ａ）は、図３（Ｂ）中のＳｌｏｔ＃ｉのデータ構成例を示す。図３（Ａ）を参照すると、下りＤＰＣＨのスロットには、ＤＰＣＣＨ（制御情報）とＤＰＤＣＨ（ユーザデータ）とがマッピングされていることがわかる。スロットの末尾には、ＰｉｌｏｔビットがＮpilot ビット存在する。図４に示すように、上記Ｎpilot については、ＣＨの拡散率により、２，４，８，１６のいずれか値が一意に定義される。また、各スロットの末尾のＰｉｌｏｔビットパターンは、各スロットを識別するＳｌｏｔ番号によって一意に定義される。
【００２８】
下り品質検出部１６は、下りＤＰＣＨを受信する前に、ＣＨの拡散率及びＳｌｏｔ番号を予め認識できるので、該Ｓｌｏｔ番号に対応するスロットのＰｉｌｏｔビットパターンとその期待値とを比較することができる。例えば、ＣＨの拡散率が、Ｎpilot ＝２となる拡散率である場合、１フレーム（１０ｍｓ）当たり３０ビットのＰｉｌｏｔビットが存在する。下り品質検出部１６が、例えば３０ビットのＰｉｌｏｔビットのうち、３ビットが期待値と異なっていると判断し、３／３０＝０．１というＰｉｌｏｔビット誤り率を算出する。そして、下り品質検出部１６は、該算出されたＰｉｌｏｔビット誤り率と所定の閾値とを比較し、該Ｐｉｌｏｔビット誤り率が所定の閾値以上であると判断したときに、下りデータの品質が劣化していると判断する。
【００２９】
下り品質検出部１６は、以下に説明するように、単位時間当たりの下りＤＰＤＣＨのＣＲＣ誤り率であるＢＬＥＲ（Block Error Rate：ブロックエラーレート）が所定の閾値以上となったかを判断し、該ＢＬＥＲが所定の閾値以上となったと判断された場合に、下りデータの品質が劣化したことを検出するようにしてもよい。
下り品質検出部１６は、例えば、前述した図３（Ａ）中に示す下りＤＰＤＣＨのＤａｔａ１，Ｄａｔａ２を合成して復号処理を行って、１又は複数のトランスポートブロック（ＴｒＢＬＫ）を取得する。１ＴｒＢＬＫ当たり１つのＣＲＣビットが付随している。下り品質検出部１６は、ＴｒＢＬＫのＣＲＣチェックを行い、ＣＲＣ  ＯＫなら上位側（上位の階層）にＴｒＢＬＫデータを転送し、ＣＲＣ  ＮＧの場合は、ＴｒＢＬＫデータを破棄、もしくは保留して、上位側にデータ転送を行なわない。下り品質検出部１６は、単位時間当たりのＴｒＢＬＫ受信個数と、そのうちＣＲＣ  ＮＧであるＴｒＢＬＫの数とに基づいて、ＢＬＥＲを算出する。例えば、下り品質検出部１６が、単位時間１００ｍｓ当たり１００個のＴｒＢＬＫを受信し、１０個のＴｒＢＬＫがＣＲＣ  ＮＧである場合、下り品質検出部１６は、１０／１００＝０．１というＢＬＥＲを算出する。そして、下り品質検出部１６は、該算出されたＢＬＥＲが所定の閾値以上となったかを判断し、該ＢＬＥＲが所定の閾値以上となったと判断された場合に、下りデータの品質が劣化したことを検出する。
【００３０】
下り品質検出部１６による下りデータの品質の劣化の検出の他の例について、図５を参照して説明する。まず、ＨＳＤＰＡによる基地局２と移動局１間での通信について説明する。ＨＳＤＰＡの下りＨＳ−ＰＤＳＣＨによる基地局２から移動局１へのデータ送信は、一定パワーでの送信である。但し、移動局１での受信状態が悪い場合は、基地局２から移動局１への単位時間当たりの送信データのビット長を減らすことにより、移動局１での受信データのビット長を減らす。その結果、スループットは減るが、１ビット当たりの電力値を大きくさせることにより、移動局１での誤りを減らすようにする。逆に、移動局１での受信状態が良い場合は、基地局２から移動局１への単位時間当たりの送信データのビット長を増やす。その結果、１ビット当たりの電力値が小さくなり、移動局１での誤りは増加するが、単位時間当たりの受信データのビット長の増加によってスループットが増える。
【００３１】
上記のような制御を実行するために、移動局１での受信データの品質（ＳＩＲ）を予め測定し、記憶しておく。下り品質検出部１６は、移動局１内に予め用意された、例えば図５に示すようなＳＩＲ−ＣＱＩ（Channel Quality Indicator ）対応テーブルから、ＣＱＩ値を表引きし、該表引きされたＣＱＩ値を、送信部２２を通じて基地局２へＨＳ−ＤＰＣＣＨで送信する。ＳＩＲ−ＣＱＩ対応テーブルからのＣＱＩ値の表引きに関して説明すると、下り品質検出部１６は、ＳＩＲ、ＢＬＥＲと（トランスポートブロックサイズ／コード多重数／変調方式の組み合わせ）の相関により、測定したＳＩＲ値によりＢＬＥＲが１０％を超えない（ＢＬＥＲ＜０．１である）ようなトランスポートブロックサイズ、コード多重数、変調方式の組み合わせを選択し、選択された組み合わせに対応するＣＱＩ値を図５に示すＳＩＲ−ＣＱＩ対応テーブルから選択する。ＣＱＩ値を受信した基地局２は、受信したＣＱＩ値の情報に基づいて、トランスポートブロックサイズ／コード多重数／変調方式の組み合わせを変えて、ＨＳ−ＰＤＳＣＨを移動局１に対して送信する。なお、ＣＱＩ値の送信のためのＳＩＲ測定は、ＣＱＩ送信区間直前の３スロット間で測定している。
【００３２】
図５のＳＩＲ−ＣＱＩ対応テーブルに示すように、ＣＱＩ値は、トランスポートブロックサイズ、コード多重数、変調方式などのパラメータとリンクされている。ＣＱＩ値が小さいほどデータ総量は少なく、ＣＱＩ値が大きいほどデータ総量は多い。同じ電力値（ＳＩＲ値）であれば、ＣＱＩ値が小さいほどより誤りにくく（ＢＬＥＲがよくなり）、ＣＱＩ値が大きいほどより誤りやすくなる（ＢＬＥＲが悪くなる）。３ＧＰＰでは、ＢＬＥＲ＜０．１（ＢＬＥＲが１０％を超えない）となるようなトランスポートブロックサイズ、コード多重数、変調方式状態でのＣＱＩ値を送信する旨の定義がある。
下り品質検出部１６は、ＨＳＤＰＡ呼接続時に、例えば単位時間当たりのＣＱＩ値が所定の閾値未満であるかを判断し、該ＣＱＩ値が所定の閾値未満であると判断された場合に、下りデータの品質が劣化したことを検出する。
【００３３】
図６は、本発明の移動局における送信電力決定処理フローの一例を示す図である。
まず、下り品質検出部１６が、下りデータの品質が劣化したかを判断する（ステップＳ１）。下り品質検出部１６が、下りデータの品質が劣化していないと判断した場合は、ステップＳ４に進む。下り品質検出部１６が、下りデータの品質が劣化したと判断した場合、誤検出検知部１７が、アップ指示又はダウン指示が所定の閾値以上連続してカウントされたかを判断する（ステップＳ２）。誤検出検知部１７が、アップ指示、ダウン指示が所定の閾値以上連続してカウントされていないと判断した場合は、ステップＳ４に進む。
【００３４】
誤検出検知部１７が、アップ指示又はダウン指示が所定の閾値以上連続してカウントされたと判断した場合は、ＵＰ／ＤＯＷＮ読み替え部１８が、アップ指示又はダウン指示／ホールド指示を読み替え補正する（ステップＳ３）。例えば上記ステップＳ２においてアップ指示が所定の閾値以上連続してカウントされたと判断された場合、ステップＳ３において、ＵＰ／ＤＯＷＮ読み替え部１８は、アップ指示の一部をダウン指示又はホールド指示と読み替え補正する。また、例えば、上記ステップＳ２においてダウン指示が所定の閾値以上連続してカウントされたと判断された場合、ステップＳ３において、ＵＰ／ＤＯＷＮ読み替え部１８は、ダウン指示又はホールド指示の一部をアップ指示と読み替え補正する。そして、送信電力値決定部１９が、上記ステップＳ３における読み替え補正処理後のアップ指示又はダウン指示／ホールド指示と、最大送信電力検出部１４によって検出されたＡｂｓｏｌｕｔｅ  Ｇｒａｎｔが示す最大送信電力の値とに基づいて、送信電力の値を決定する（ステップＳ４）。
【００３５】
図７は、本発明の移動局における送信電力制御処理の具体例を示す図である。
図７の縦軸は移動局１の送信電力の値を示し、横軸は時刻を示す。図７の時刻ｔ0 において、移動局１の下り品質検出部１６が、下りデータの品質が劣化したことを検出すると、誤検出検知部１７が、アップ指示が５回連続してカウントされるかを監視する。移動局１の送信電力の値は、当該５回のアップ指示に従って、時刻ｔ0 から時刻ｔ1 までの間に５回連続して増加する。誤検出検知部１７が、アップ指示が５回連続してカウントされたことを検出すると、ＵＰ／ＤＯＷＮ読み替え部１８は、該５回目のアップ指示の後にカウントされる、連続する３回のアップ指示をホールド指示と読み替え補正する。その結果、図７に示すように、時刻ｔ1 から時刻ｔ2 までの間、移動局１の送信電力は保留される。上記連続する３回のアップ指示がホールド指示と読み替え補正された後は、上記誤検出検知部１７によるアップ指示のカウント回数の監視状態に入り、アップ指示が５回連続してカウントされたことが検出されるまでの間、送信電力の通常制御（アップ指示、ダウン指示、又はホールド指示に従った制御）が行われる。
【産業上の利用可能性】
【００３６】
以上、説明したように、本発明によれば、移動局が基地局から通知される送信電力のアップ指示を誤検出したことに起因する、送信電力の過剰な上げ制御を抑えることが可能となる。その結果、電力干渉の度合いを抑えることが可能となり、ネットワークリソースの有効活用を図ることができる。また、本発明によれば、移動局が基地局から通知される送信電力のダウン指示を誤検出したことに起因する、送信電力の過剰な下げ制御を抑えることが可能となる。従って、移動局が、本来送信可能な送信電力（例えば、最大送信電力）で基地局に対して上りデータを送信することが可能となる。その結果、移動局から上りデータを基地局に送信する際のスループットの向上を図ることができる。
【図面の簡単な説明】
【００３７】
【図１】本発明のシステム構成の一例を示す図である。
【図２】移動局の構成の一例を示す図である。
【図３】下りＤＰＣＨのデータ構成例を示す図である。
【図４】下りＤＰＣＨの各スロット毎のＰｉｌｏｔビットパターンの定義を示す図である。
【図５】ＳＩＲ−ＣＱＩ対応テーブルの例を示す図である。
【図６】本発明の移動局における送信電力決定処理フローの一例を示す図である。
【図７】本発明の移動局における送信電力制御処理の具体例を示す図である。
【図８】基地局と移動局との間で通信を行う移動体通信システムにおける物理チャネルの例を示す図である。
【図９】基地局と移動局との間における、ＨＳＵＰＡを用いた通信シーケンスの例を示す図である。
【符号の説明】
【００３８】
１  移動局
２  基地局
１１  アンテナ
１２  受信部
１３  ＵＰ／ＤＯＷＮ情報検出部
１４  最大送信電力検出部
１５  ＵＰ／ＤＯＷＮカウント部
１６  下り品質検出部
１７  誤検出検知部
１８  ＵＰ／ＤＯＷＮ読み替え部
１９  送信電力値決定部
２０  Ｅ−ＤＰＤＣＨデータ生成部
２１  Ｅ−ＤＰＣＣＨデータ生成部
２２  送信部
【図１】
2009049750.tif 000003
【図２】
2009049750.tif 000004
【図３】
2009049750.tif 000005
【図４】
2009049750.tif 000006
【図５】
2009049750.tif 000007
【図６】
2009049750.tif 000008
【図７】
2009049750.tif 000009
【図８】
2009049750.tif 000010
【図９】
2009049750.tif 000011